(57)【要約】【課題】  室内の美観を損なう恐れをより低減することができる空気調和機の室内機を提供する。【解決手段】  空気調和機の室内機２ａは、ケーシング本体２３と、水平フラップ２９と、正面パネル２４ａとを備える。ケーシング本体２３は、室内へと吹き出される空気が通る吹出し口２６を有する。水平フラップ２９は、吹出し口２６に設けられ、ケーシング本体２３の長手方向に平行な軸を中心に回転可能である。正面パネル２４ａは、正面視において吹出し口２６および水平フラップ２９を覆い、吹出し口２６を開閉する。また、正面パネル２４ａは、吹出し口２６を閉じた状態において、正面視において吹出し口２６よりも大きな投影面積を有する。【選択図】      図２
2005098683.tif 000002
【特許請求の範囲】
【請求項１】
室内へと吹き出される空気が通る吹出し口（２６）を有するケーシング（２３）と、
前記吹出し口（２６）に設けられ、前記ケーシングの長手方向に平行な軸を中心に回転可能な水平フラップ（２９）と、
正面視において前記吹出し口（２６）および前記水平フラップ（２９）を覆い、前記吹出し口（２６）を開閉する正面パネル（２４ａ−２４ｆ）と、
を備え、
前記正面パネル（２４ａ−２４ｆ）は、前記吹出し口（２６）を閉じた状態において、正面視において前記吹出し口（２６）よりも大きな投影面積を有する、
空気調和機の室内機（２ａ−２ｆ）。
【請求項２】
前記正面パネル（２４ａ−２４ｆ）は、正面視において前記ケーシング（２３）の幅（Ｗ）と略同じ幅を有する、
請求項１に記載の空気調和機の室内機（２ａ−２ｆ）。
【請求項３】
前記正面パネル（２４ａ−２４ｆ）は、正面視において縦方向に伸びる継目を有さない、
請求項１または２に記載の空気調和機の室内機（２ａ−２ｆ）。
【請求項４】
前記ケーシング（２３）は、正面に設けられ室内から取り込まれる空気が通る吸込み口（２７）をさらに有し、
前記正面パネル（２４ａ,２４ｄ−２４ｆ）は、
前記吹出し口（２６）を開閉し、前記吹出し口（２６）を閉じた状態において正面視において前記吹出し口（２６）よりも大きな投影面積を有する第１パネル（２４１,２４７，２５０，２５３）と、
前記吸込み口（２７）を開閉し、前記吸込み口（２７）を閉じた状態において正面視において前記吸込み口（２７）よりも大きな投影面積を有する第２パネル（２４２,２４８，２５１，２５４）と、
を有する、
請求項１から３のいずれかに記載の空気調和機の室内機（２ａ,２ｄ−２ｆ）。
【請求項５】
前記第１パネル（２４１，２５０，２５３）は、継目を有さず、正面視において前記吹出し口（２６）を含む前記ケーシング（２３）の幅（Ｗ）と略同じ幅を有し、
前記第２パネル（２４２，２５１，２５４）は、継目を有さず、正面視において前記吸込み口（２７）を含む前記ケーシング（２３）の幅（Ｗ）と略同じ幅を有する、
請求項４に記載の空気調和機の室内機（２ａ，２ｅ，２ｆ）。
【請求項６】
前記ケーシング（２３）は、正面に設けられ室内から取り込まれる空気が通る吸込み口（２７）をさらに有し、
前記正面パネル（２４ｂ，２４ｃ）は、前記吹出し口（２６）と前記吸込み口（２７）とを開閉し、前記吹出し口（２６）と前記吸込み口（２７）とを閉じた状態において、正面視において前記ケーシング（２３）の前記吹出し口（２６）と前記吸込み口（２７）とを覆う継目のない部材である、
請求項１から３のいずれかに記載の空気調和機の室内機（２ｂ，２ｃ）。
【請求項７】
前記正面パネル（２４ｂ，２４ｃ）は、正面視において前記ケーシング（２３）の幅（Ｗ）と略同じ幅を有する、
請求項６に記載の空気調和機の室内機（２ｂ，２ｃ）。
【請求項８】
前記正面パネル（２４ａ−２４ｃ）は、正面視において前記ケーシング（２３）の正面の略全体を覆う、
請求項１から７のいずれかに記載の空気調和機の室内機（２ａ−２ｃ）。
【請求項９】
前記正面パネル（２４ａ，２４ｂ）の正面側は、前記吹出し口（２６）を閉じた状態において、鉛直方向に平行な平坦面（２４３，２４４）となっている、
請求項１から８のいずれかに記載の空気調和機の室内機（２ａ，２ｂ）。
【請求項１０】
前記正面パネル（２４ｅ）は、前記第１パネル（２５０）と前記第２パネル（２５１）との間に配置され正面視において継目を有さない第３パネル（２５２）をさらに有し、
前記第１パネル（２５０）、前記第２パネル（２５１）および前記第３パネル（２５２）は、前記吹出し口（２６）および前記吸込み口（２７）を閉じた状態において、略平坦な平面を構成するように配置される、
請求項４または５に記載の空気調和機の室内機（２ｅ）。
【請求項１１】
前記第１パネル（２５０）は、前記第３パネル（２５２）の後方へと移動することにより、前記吹出し口（２６）を開く、
請求項１０に記載の空気調和機の室内機（２ｅ）。
【請求項１２】
前記第２パネル（２５４）は、前記吸込み口（２７）から離れるように移動することによって前記吸込み口（２７）を開き、
前記第１パネル（２５３）は、前記吸込み口（２７）から離れるように移動した前記第２パネル（２５４）と前記ケーシング（２３）との間へと移動することによって前記吹出し口（２６）を開く、
請求項４または５に記載の空気調和機（１）の室内機（２ｆ）。
【請求項１３】
前記第１パネル（２５３）と前記第２パネル（２５４）とは、前記ケーシング（２３）の前面に上下に並んで第１パネル（２５３）が下側に第２パネル（２５４）が上側に配置されており、
前記第２パネル（２５４）は、前方へと移動することによって前記吸込み口（２７）を開き、
前記第１パネル（２５３）は、上方へと移動し、前方へと移動した前記第２パネル（２５４）の後方へと移動することによって前記吹出し口（２６）を開く、
請求項１２に記載の空気調和機（１）の室内機（２ｆ）。
【請求項１４】
前記第２パネル（２５４）は、前記吸込み口（２７）を開いた状態において、上端が前方へと傾斜した状態となる、
請求項１３に記載の空気調和機（１）の室内機（２ｆ）。
【請求項１５】
前記第２パネル（２５４）が前記吸込み口（２７）を開いた状態において、前記第２パネル（２５４）の下端は、前記吸込み口（２７）の下方に位置する前記吹出し口（２６）よりも上側に位置する、
請求項１３または１４に記載の空気調和機（１）の室内機（２ｆ）。
【請求項１６】
前記第１パネル（２５３）は、前記吹出し口（２６）を開く際に、前記ケーシング（２３）に近接した状態で移動する、
請求項１２から１５のいずれかに記載の空気調和機（１）の室内機（２ｆ）。
【発明の詳細な説明】
【技術分野】
【０００１】
本発明は空気調和機の室内機に関する。
【背景技術】
【０００２】
近年、室内の空気調和を行う空気調和機の室内機がよく利用されている。この室内機は、室内に配置されるため、居住者等の視野に入ることが多い。このため、室内機が室内の美観を損なわないことが重要である。しかし、室内機のケーシングには室内へと吹き出す空気が通る吹出し口が設けられることが通常である。室内機は、吹出し口から調和空気を室内へ吹出すことにより室内の空気調和を行う。この吹出し口は、室内機のケーシングの正面に設けられることが多く、室内の居住者等の目に触れ易い。従って、室内機の外観と室内の壁面等との調和が妨げられ、室内の美観が損なわれる恐れがある。
【０００３】
一方、上記のような従来の空気調和機の室内機では、吹出し口を開閉する水平フラップが設けられことが多い（特許文献１参照）。この水平フラップは、室内機の運転時には吹出し口を開いて、吹出し口から吹出される空気を案内する。そして、室内機の運転停止時には、水平フラップが吹出し口を閉じる。これにより、室内機の運転停止時に吹出し口が居住者等の視野に入ることが防止され、室内の美観を損なう恐れが低減する。
【特許文献１】特許第３３３４６８８号明細書
【発明の開示】
【発明が解決しようとする課題】
【０００４】
しかし、上記のような空気調和機の室内機では、依然として室内の美観が損なわれる恐れがある。すなわち、図１１に示す室内機２００のように、水平フラップ２０１によって吹出し口２０２が閉じられる場合においても、正面視において、水平フラップ２０１と吹出し口２０２との間の継目が表れることが多い。
このような室内機では、室内の美観が損なわれる恐れがある。
【０００５】
本発明の課題は、室内の美観を損なう恐れをより低減することができる空気調和機の室内機を提供することにある。
【課題を解決するための手段】
【０００６】
請求項１に記載の空気調和機の室内機は、ケーシングと、水平フラップと、正面パネルとを備える。ケーシングは、室内へと吹き出される空気が通る吹出し口を有する。水平フラップは、吹出し口に設けられ、ケーシングの長手方向に平行な軸を中心に回転可能である。正面パネルは、正面視において吹出し口および水平フラップを覆い、吹出し口を開閉する。また、正面パネルは、吹出し口を閉じた状態において、正面視において吹出し口よりも大きな投影面積を有する。
【０００７】
この空気調和機の室内機では、吹出し口を開閉する正面パネルが、正面視において吹出し口よりも大きな投影面積を有する。このため、正面パネルが吹出し口を隠すことができる。従って、正面パネルと吹出し口との継目が室内機の正面視に表れる恐れが低減する。これにより、この空気調和機の室内機では、室内の美観を損なう恐れをより低減することができる。
【０００８】
請求項２に記載の空気調和機の室内機は、請求項１に記載の空気調和機の室内機であって、正面パネルは、正面視においてケーシングの幅と略同じ幅を有する。
この空気調和機の室内機では、吹出し口を開閉する正面パネルが、正面視において吹出し口を含むケーシングの幅と略同じ幅を有する。このため、正面パネルは、ケーシングの幅方向の略全体に亘ってケーシングを覆うことができる。従って、この空気調和機の室内機では、正面視において室内機の表面に表れる継目を低減することができる。これにより、この空気調和機の室内機では、室内の美観を損なう恐れをさらに低減することができる。
【０００９】
請求項３に記載の空気調和機の室内機は、請求項１または２に記載の空気調和機の室内機であって、正面パネルは、正面視において縦方向に伸びる継目を有さない。
この空気調和機の室内機では、正面パネルは正面視において縦方向に伸びる継目を有さない。このため、正面パネルとケーシングとの継目だけではなく、正面パネル自体に表れる継目が少ない。これにより、この空気調和機の室内機では、室内の美観を損なう恐れをさらに低減することができる。特に、縦方向に伸びる継目が表れないことにより、室内の居住者等に与える美観が向上する。
【００１０】
請求項４に記載の空気調和機の室内機は、請求項１から３のいずれかに記載の空気調和機の室内機であって、ケーシングは、正面に設けられ室内から取り込まれる空気が通る吸込み口をさらに有する。そして、正面パネルは、第１パネルと第２パネルとを有する。第１パネルは、吹出し口を開閉し、吹出し口を閉じた状態において正面視において吹出し口よりも大きな投影面積を有する。第２パネルは、吸込み口を開閉し、吸込み口を閉じた状態において正面視において吸込み口よりも大きな投影面積を有する。
【００１１】
従来、空気調和機の室内機では、吹出し口だけではなく吸込み口が正面に配置されることがある。この場合、吹出し口と同様に、吸込み口が居住者等の視野に入ると室内の美観を損なう恐れがある。また、吸込み口を開閉するパネルを設けて、空気調和機の運転停止時に吸込み口を閉じることが従来より行われているが、吸込み口とパネルとの継目が正面視において表れて、室内の美観を損なう恐れがある。
【００１２】
この空気調和機の室内機では、第１パネルは、吹出し口を閉じた状態において正面視において吹出し口よりも大きな投影面積を有する。このため、第１パネルは、正面視において、吹出し口を隠すことができる。また、第２パネルは、吸込み口を閉じた状態において正面視において吸込み口よりも大きな投影面積を有する。このため、第２パネルは、正面視において、吸込み口を隠すことができる。このように、この空気調和機の室内機では、吸込み口や吹出し口によって室内の美観が損なわれる恐れを低減することができる。
【００１３】
請求項５に記載の空気調和機の室内機は、請求項４に記載の空気調和機の室内機であって、第１パネルは、継目を有さず、正面視において吹出し口を含むケーシングの幅と略同じ幅を有する。また、第２パネルは、継目を有さず、正面視において吸込み口を含むケーシングの幅と略同じ幅を有する。
この空気調和機の室内機では、第１パネルと第２パネルとは、ケーシングの幅と略同じ幅を有する。このため、第１パネルと第２パネルとは、ケーシングの幅方向の略全体に亘ってケーシングを覆うことができる。また、第１パネルと第２パネルとはそれぞれ継目を有さない。このため、室内機の正面視に表れる継目を低減することができる。これにより、この空気調和機の室内機では、美観が損なわれる恐れをより低減することができる。
【００１４】
請求項６に記載の空気調和機の室内機は、請求項１から３のいずれかに記載の空気調和機の室内機であって、ケーシングは、正面に設けられ室内から取り込まれる空気が通る吸込み口をさらに有する。また、正面パネルは、吹出し口と吸込み口とを開閉し、吹出し口と吸込み口を閉じた状態において、正面視においてケーシングの吹出し口と吸込み口とを覆う継目のない部材である。
【００１５】
この空気調和機の室内機では、継目のない正面パネルによって吸込み口と吹出し口との両方が覆われる。このため、正面視において室内機に表れる継目がさらに低減する。これにより、この空気調和機の室内機では、美観が損なわれる恐れをさらに低減することができる。
請求項７に記載の空気調和機の室内機は、請求項６に記載の空気調和機の室内機であって、正面パネルは、正面視においてケーシングの幅と略同じ幅を有する。
【００１６】
この空気調和機の室内機では、継目のない一枚の正面パネルによって、ケーシングの幅方向の略全体に亘ってケーシングが覆われる。このため、室内機の正面視に表れる継目がさらに低減する。これにより、この空気調和機の室内機では、美観が損なわれる恐れをより低減することができる。
請求項８に記載の空気調和機の室内機は、請求項１から７のいずれかに記載の空気調和機の室内機であって、正面パネルは、正面視においてケーシングの正面の略全体を覆う。
【００１７】
この空気調和機の室内機では、ケーシングの正面の略全体が正面パネルに覆われる。このため、この空気調和機の室内機では、正面視において室内機に表れる継目がさらに低減する。これにより、この空気調和機の室内機では、美観が損なわれる恐れをさらに低減することができる。
請求項９に記載の空気調和機の室内機は、請求項１から８のいずれかに記載の空気調和機の室内機であって、正面パネルの正面側は、吹出し口を閉じた状態において、鉛直方向に平行な平坦面となっている。
【００１８】
この空気調和機の室内機では、正面パネルの正面側は、吹出し口を閉じた状態において鉛直方向に平行な平坦面となっている。従って、この空気調和機の室内機では、室内機の正面視における外観と室内の側壁との調和が向上する。これにより、この空気調和機の室内機では、美観をより向上させることができる。
請求項１０に記載の空気調和機の室内機は、請求項４または５に記載の空気調和機の室内機であって、正面パネルは、第３パネルをさらに有する。第３パネルは、第１パネルと第２パネルとの間に配置され、正面視において継目を有さない。そして、第１パネル、第２パネルおよび第３パネルは、吹出し口および吸込み口を閉じた状態において、略平坦な平面を構成するように配置される。
【００１９】
この空気調和機の室内機では、第１パネル、第２パネルおよび第３パネルは、吹出し口および吸込み口を閉じた状態において、略平坦な平面を構成するように配置されている。このため、室内機の運転停止時などにおいては、略平坦な平面が室内機に表れており、室内機の美観をより向上させることができる。
請求項１１に記載の空気調和機の室内機は、請求項１０に記載の空気調和機の室内機であって、第１パネルは、第３パネルの後方へと移動することにより、吹出し口を開く。
【００２０】
この空気調和機の室内機では、第１パネルは、吹出し口を開いた場合に第３パネルの後方へと移動する。このため、吹出し口を開いた状態における室内機の美観をより向上させることができる。
請求項１２に記載の空気調和機の室内機は、請求項４または５に記載の空気調和機の室内機であって、第２パネルは、吸込み口から離れるように移動することによって吸込み口を開く。そして、第１パネルは、吸込み口から離れるように移動した第２パネルとケーシングとの間へと移動することによって吹出し口を開く。
【００２１】
この空気調和機の室内機では、第１パネルは、吹出し口を開いた場合に第２パネルとケーシングとの間へと移動する。このため、吹出し口を開いた状態における室内機の美観をより向上させることができる。
請求項１３に記載の空気調和機の室内機は、請求項１２に記載の空気調和機の室内機であって、第１パネルと第２パネルとは、ケーシングの前面に上下に並んで第１パネルが下側に第２パネルが上側に配置されている。そして、第２パネルは、前方へと移動することによって吸込み口を開く。また、第１パネルは、上方へと移動し、前方へと移動した第２パネルの後方へと移動することによって吹出し口を開く。
【００２２】
この空気調和機の室内機では、第１パネルは、吹出し口を開いた場合に、第２パネルの後方へと移動する。このため、吹出し口を開いた状態における室内機の美観をより向上させることができる。
請求項１４に記載の空気調和機の室内機は、請求項１３に記載の空気調和機の室内機であって、第２パネルは、吸込み口を開いた状態において、上端が前方へと傾斜した状態となる。
【００２３】
この空気調和機の室内機では、第２パネルが吸込み口を開いた状態において上端が前方へと傾斜した状態となる。従って、下方から空気調和機の室内機を見た場合に、第２パネルが比較的大きく見えることにより、吸込み口が外部から見え難くなる。このため、吸込み口が開かれた状態における空気調和機の室内機の美観をより向上させることができる。
請求項１５に記載の空気調和機の室内機は、請求項１３または１４に記載の空気調和機の室内機であって、第２パネルが吸込み口を開いた状態において、第２パネルの下端は、吸込み口の下方に位置する吹出し口よりも上側に位置する。
【００２４】
この空気調和機の室内機では、吸込み口が開かれた状態において、第２パネルの下端が吹出し口よりも上側に位置する。このため、第２パネルが空気の吹出しを妨げる恐れが少ない。
請求項１６に記載の空気調和機の室内機は、請求項１２から１５のいずれかに記載の空気調和機の室内機であって、第１パネルは、吹出し口を開く際に、ケーシングに近接した状態で移動する。
【００２５】
この空気調和機の室内機では、第１パネルは、吹出し口を開く際に、ケーシングに近接した状態で移動するため、第１パネルとケーシングとの隙間が小さい。従って、吹出し口から吹き出された空気が第１パネルとケーシングとの間から漏れてしまうショートサーキットの発生を抑えることができる。
【発明の効果】
【００２６】
請求項１に記載の空気調和機の室内機では、吹出し口を開閉する正面パネルが、正面視において吹出し口よりも大きな投影面積を有する。このため、正面パネルが吹出し口を隠すことができる。従って、正面パネルと吹出し口との継目が室内機の正面視に表れる恐れが低減する。これにより、この空気調和機の室内機では、室内の美観を損なう恐れをより低減することができる。
【００２７】
請求項２に記載の空気調和機の室内機では、吹出し口を開閉する正面パネルが、正面視においてケーシングの幅と略同じ幅を有する。このため、正面パネルは、ケーシングの幅方向の略全体に亘ってケーシングを覆うことができる。従って、この空気調和機の室内機では、正面視において室内機の表面に表れる継目を低減することができる。これにより、この空気調和機の室内機では、室内の美観を損なう恐れをさらに低減することができる。
【００２８】
請求項３に記載の空気調和機の室内機では、正面パネルは正面視において縦方向に伸びる継目を有さない。このため、正面パネルとケーシングとの継目だけではなく、正面パネル自体に表れる継目が少ない。これにより、この空気調和機の室内機では、室内の美観を損なう恐れをさらに低減することができる。特に、縦方向に伸びる継目が表れないことにより、室内の居住者等に与える美観が向上する。
【００２９】
請求項４に記載の空気調和機の室内機では、第１パネルは、吹出し口を閉じた状態において正面視において吹出し口よりも大きな投影面積を有する。このため、第１パネルは、正面視において、吹出し口を隠すことができる。また、第２パネルは、吸込み口を閉じた状態において正面視において吸込み口よりも大きな投影面積を有する。このため、第２パネルは、正面視において、吸込み口を隠すことができる。このように、この空気調和機の室内機では、吸込み口や吹出し口によって室内の美観が損なわれる恐れを低減することができる。
【００３０】
請求項５に記載の空気調和機の室内機では、第１パネルと第２パネルとは、ケーシングの幅と略同じ幅を有する。このため、第１パネルと第２パネルとは、ケーシングの幅方向の略全体に亘ってケーシングを覆うことができる。また、第１パネルと第２パネルとはそれぞれ継目を有さない。このため、室内機の正面視に表れる継目を低減することができる。これにより、この空気調和機の室内機では、美観が損なわれる恐れをより低減することができる。
【００３１】
請求項６に記載の空気調和機の室内機では、継目のない正面パネルによって吸込み口と吹出し口との両方が覆われる。このため、正面視において室内機に表れる継目がさらに低減する。これにより、この空気調和機の室内機では、美観が損なわれる恐れをさらに低減することができる。
請求項７に記載の空気調和機の室内機では、継目のない一枚の正面パネルによって、ケーシングの幅方向の略全体に亘ってケーシングが覆われる。このため、室内機の正面視に表れる継目がさらに低減する。これにより、この空気調和機の室内機では、美観が損なわれる恐れをより低減することができる。
【００３２】
請求項８に記載の空気調和機の室内機では、ケーシングの正面の略全体が正面パネルに覆われる。このため、この空気調和機の室内機では、正面視において室内機に表れる継目がさらに低減する。これにより、この空気調和機の室内機では、美観が損なわれる恐れをさらに低減することができる。
請求項９に記載の空気調和機の室内機では、正面パネルの正面側は、吹出し口を閉じた状態において鉛直方向に平行な平坦面となっている。従って、この空気調和機の室内機では、室内機の正面視における外観と室内の側壁との調和が向上する。これにより、この空気調和機の室内機では、美観をより向上させることができる。
【００３３】
請求項１０に記載の空気調和機の室内機では、第１パネル、第２パネルおよび第３パネルは、吹出し口および吸込み口を閉じた状態において、略平坦な平面を構成するように配置されている。このため、室内機の運転停止時などにおいては、略平坦な平面が室内機に表れており、室内機の美観をより向上させることができる。
請求項１１に記載の空気調和機の室内機では、第１パネルは、吹出し口を開いた場合に第３パネルの後方へと移動する。このため、吹出し口を開いた状態における室内機の美観をより向上させることができる。
【００３４】
請求項１２に記載の空気調和機の室内機では、第１パネルは、吹出し口を開いた場合に第２パネルとケーシングとの間へと移動する。このため、吹出し口を開いた状態における室内機の美観をより向上させることができる。
請求項１３に記載の空気調和機の室内機では、第１パネルは、吹出し口を開いた場合に、第２パネルの後方へと移動する。このため、吹出し口を開いた状態における室内機の美観をより向上させることができる。
【００３５】
請求項１４に記載の空気調和機の室内機では、第２パネルが吸込み口を開いた状態において上端が前方へと傾斜した状態となる。従って、下方から空気調和機の室内機を見た場合に、第２パネルが比較的大きく見えることにより、吸込み口が外部から見え難くなる。このため、吸込み口が開かれた状態における空気調和機の室内機の美観をより向上させることができる。
【００３６】
請求項１５に記載の空気調和機の室内機では、吸込み口が開かれた状態において、第２パネルの下端が吹出し口よりも上側に位置する。このため、第２パネルが空気の吹出しを妨げる恐れが少ない。
請求項１６に記載の空気調和機の室内機では、第１パネルは、吹出し口を開く際に、ケーシングに近接した状態で移動するため、第１パネルとケーシングとの隙間が小さい。従って、吹出し口から吹き出された空気が第１パネルとケーシングとの間から漏れてしまうショートサーキットの発生を抑えることができる。
【発明を実施するための最良の形態】
【００３７】
＜第１実施形態＞
〔空気調和機の全体構成〕
本発明の第１実施形態にかかる空気調和機１の構成および冷媒回路の概略を図１に示す。
この空気調和機１は、室内の壁面などに取り付けられる室内機２ａと、室外に設置される室外機３とを備えている。
【００３８】
この空気調和機１の冷媒回路は、主として室内熱交換器２０、アキュムレータ３１、圧縮機３２、四路切換弁３３、室外熱交換器３０および電動膨張弁３４で構成される。
室内機２ａに設けられている室内熱交換器２０は、接触する空気との間で熱交換を行う。また、室内機２ａには、室内空気を吸い込んで室内熱交換器２０に通し熱交換が行われた後の空気を室内に排出するための室内ファン２１が設けられている。室内ファン２１は、室内機２ａ内に設けられる室内ファンモータ２２によって回転駆動される。室内機２ａの詳細な構成については後に説明する。
【００３９】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。また、室外機３には、室外熱交換器３０での熱交換後の空気を外部に排出するための室外ファン３８が設けられている。この室外ファン３８は、室外ファンモータ３９によって回転駆動される。
【００４０】
〔室内機の構成〕
図２（ａ）に室内機２ａの正面図、図２（ｂ）に室内機２ａの側面断面図を示す。図２（ａ）と図２（ｂ）とは、運転停止時の室内機２ａを示している。
室内機２ａは、室内の側壁に設けられる壁掛け型の室内機であり、ケーシング本体２３と正面パネル２４ａとを備える。
【００４１】
［ケーシング本体］
ケーシング本体２３は、正面視において水平方向に長い長方形の形状を有し、側面視において鉛直方向に長い長方形の断面形状を有する。ケーシング本体２３内には、上述した室内熱交換器２０、室内ファン２１、室内ファンモータ２２（図示せず）などが備えられている。図２（ｂ）に示すように、側面視において、室内ファン２１がケーシング本体２３の中央に配置され、逆Ｖ字型の形状を有する室内熱交換器２０が室内ファン２１の上半分を囲むように配置されている。また、ケーシング本体２３には吸込み口２５と吹出し口２６とが設けられている。
【００４２】
吸込み口２５は、室内ファン２１によって室内からケーシング本体２３内へと取り込まれる空気が通る開口であり、第１吸込み口２７と第２吸込み口２８とがある。第１吸込み口２７は、正面視において水平方向に長い形状を有し、その長さはケーシング本体２３の幅Ｗよりも若干小さい。第1吸込み口２７は、図２（ｂ）に示すように、ケーシング本体２３の正面の中央付近に設けられ、室内熱交換器２０の正面側と対向している。第２吸込み口２８は、ケーシング本体２３の長手方向に長い複数のスリットによって構成されており、ケーシング本体２３の天面に設けられている。
【００４３】
吹出し口２６は、室内ファン２１によって室内熱交換器２０を通り室内へと吹出される空気が通る開口である。吹出し口２６は図３（ａ）に示すように水平方向に長い形状を有し、その長さはケーシング本体２３の幅Ｗよりも若干小さい。また、吹出し口２６はケーシング本体２３の下部近傍であって、ケーシング本体２３の正面に設けられている。なお、図３（ａ）は、運転時の室内機２ａの正面図である。
【００４４】
また、吹出し口２６近傍には水平フラップ２９が設けられている。水平フラップ２９は、室内機２ａの長手方向に長い形状を有する板状の部材であり、吹出し口２６から吹き出される空気を案内する。水平フラップ２９は、室内機２ａの長手方向に平行な回転軸を有しており、回転軸を中心に回転することにより、空気の案内方向を変更する。
［正面パネル］
正面パネル２４ａは、正面視において吹出し口２６と第1吸込み口２７とを覆い、吹出し口２６と第1吸込み口２７とを開閉する。正面パネル２４ａは、継目の無い複数のパネルが集合したパネル集合体であり、第１パネル２４１と第２パネル２４２とを有している。
【００４５】
第１パネル２４１は、ケーシング本体２３の正面の下方に配置されている。第１パネル２４１は、図示しない移動機構によって移動可能に支持されており、吹出し口２６を開閉する。第１パネル２４１は、継目を有さない長方形の平板状の部材であり、正面視におけるケーシング本体２３の幅Ｗと略同じ幅と、ケーシング本体２３の高さＨの約半分の高さとを有する。第１パネル２４１は、吹出し口２６を閉じた状態においては、図２（ｂ）のように、鉛直方向に平行な状態となる。また、この状態では、第１パネル２４１は、正面視において吹出し口２６よりも大きな投影面積を有する。従って、第１パネル２４１は、吹出し口２６を閉じた状態においては、吹出し口２６を含むケーシング本体２３の正面の下半分を完全に覆う。
【００４６】
第２パネル２４２は、ケーシング本体２３の正面の上方に配置されている。第２パネル２４２は、図示しない移動機構によって移動可能に支持されており、第１吸込み口２７を開閉する。第２パネル２４２は、第１パネル２４１と同様に、継目を有さない長方形の平板状の部材であり、正面視において第１吸込み口２７を含むケーシング本体２３の幅Ｗと略同じ幅と、ケーシング本体２３の高さＨの約半分の高さとを有する。第２パネル２４２は、第１吸込み口２７を閉じた状態においては、図２（ｂ）のように、鉛直方向に平行な状態となる。また、この状態では、第２パネル２４２は、第１パネル２４１の上方に第１パネル２４１と並んで位置しており、正面視において第１吸込み口２７よりも大きな投影面積を有する。従って、第２パネル２４２は、第１吸込み口２７を閉じた状態においては、第１吸込み口２７を含むケーシング本体２３の正面の上半分を完全に覆う。
【００４７】
このように、第１パネル２４１は、吹出し口２６を閉じた状態においては、吹出し口２６を含むケーシング本体２３の正面の下半分を完全に覆い、第２パネル２４２は、第１吸込み口２７を閉じた状態においては、第１吸込み口２７を含むケーシング本体２３の正面の上半分を完全に覆う。また、第１パネル２４１と第２パネル２４２とは、隙間なく上下に並んで配置される。このため、第１パネル２４１と第２パネル２４２とによって構成される正面パネル２４ａは、吹出し口２６と第１吸込み口２７とを閉じた状態においては、図２（ａ）に示すように、室内機２ａの正面全体を略完全に覆う状態となる。従って、この状態では、正面視においては、正面パネル２４ａのみが居住者等の視野に入り、吹出し口２６および第１吸込み口２７は、居住者等の視野に入らない。また、正面パネル２４ａには、第１パネル２４１の上端と第２パネル２４２の下端とによって形成される水平方向に延びる継目を除いて他の継目が表面に表れない。さらに、第１パネル２４１は鉛直方向に平行となっており、第２パネル２４２も鉛直方向に平行となっている。このため、正面パネル２４ａは、吹出し口２６および第１吸込み口２７を閉じた状態において、鉛直方向に平行な平坦面２４３を形成している。
【００４８】
［室内機の動作］
次に、空気調和機１の室内機２ａが空調運転を行う場合の動作について説明する。
室内機２ａが停止している場合、正面パネル２４ａは上記のように吹出し口２６と第1吸込み口２７とを閉じた状態となっている。
室内機２ａが運転を行う場合、まず、室内ファン２１が低回転で起動される。
【００４９】
次に、正面パネル２４ａが移動し、吹出し口２６と第１吸込み口２７とが開かれる。これにより、室内機２ａへ取り込まれる空気の風量が確保されると共に、水平方向への空気の吹き出しが行われる。この場合、図３（ｂ）に示すように、第２パネル２４２が前方へと平行移動する。これにより、第１吸込み口２７が開かれる。また、この第２パネル２４２の移動にリンクして、第１パネル２４１が垂直に上方へと移動する。そして、第１パネル２４１の上側の一部が第２パネル２４２とケーシング本体２３との間に挿入される。これにより、吹出し口２６が開かれる。
【００５０】
正面パネル２４ａが移動して吹出し口２６と第１吸込み口２７とが開かれた後、水平フラップ２９が、設定された運転モードに対応した吹出し角度となるように回転移動する。
以上のように、室内機２ａの運転が行われる、
室内機２ａが運転を停止する場合には、正面パネル２４ａが移動し、図２（ａ）および図２（ｂ）のように、吹出し口２６と第１吸込み口２７とが閉じられた状態に戻る。
【００５１】
〔特徴〕
（１）
この空気調和機１の室内機２ａでは、運転停止時において、正面パネル２４ａが室内機２ａの正面全体を覆う。そして、正面パネル２４ａは、鉛直方向に平行な平坦面２４３を形成する。このため、室内機２ａの運転停止時には、正面視において居住者等の視野には平坦な正面パネル２４ａのみが表れる。また、正面パネル２４ａの表面には、第１パネル２４１と第２パネル２４２との境界である横方向（水平方向）に延びる継目のみが表れ、他の継目は表れない。従って、この室内機２ａでは、正面視において、縦方向（鉛直方向）に延びる継目が表れることがなく、横方向に延びる継目も最低限となっている。このため、この空気調和機１の室内機２ａでは、正面視における室内機２ａの運転停止時の外観と室内の壁面とが調和し、美観が向上する。
【００５２】
（２）
一般に、壁掛け型の室内機は、室内の壁面に配置されるため、正面部分が居住者等の視野に入り易い。また、室内機の正面部分の面積が大きいことが多い。このため、運転停止時に正面視における美観が向上する本発明が特に有効である。
（３）
この空気調和機１の室内機２ａでは、運転時においては第１パネル２４１と第２パネル２４２とが移動することによって、吹出し口２６と第１吸込み口２７とが開かれる。このため、室内機２ａへの空気の吸い込みと、室内機２ａからの空気の吹出しとを十分に行うことができる。
【００５３】
また、吹出し口２６と第１吸込み口２７とが開かれる際には、第１パネル２４１は上下に移動し、第２パネル２４２は前方に少し移動すればよい。このため、運転時において室内機２ａの厚みＤ（図３（ｂ）参照）の増大が少ない。このため、この空気調和機１の室内機２ａでは、運転時の室内機２ａをコンパクトに構成することができる。
（４）
この空気調和機１の室内機２ａでは、正面パネル２４ａが開かれる前に、室内ファン２１が低回転で起動される。この場合、正面パネル２４ａが閉じられた状態で室内ファン２１が回転するため、室内機２ａの内部の空気が攪拌される。これにより、冷房運転時においては、室内機２ａの内部にこもった臭いが室内熱交換器２０に結露した水分に吸着される。従って、室内へと漏れる臭いを低減することができる。また、暖房時においては、室内熱交換器２０の温度が上昇するまで正面パネル２４ａを閉じておくことにより、運転初期のドラフト感を低減することができる。
【００５４】
＜第２実施形態＞
本発明の第２実施形態にかかる空気調和機１の室内機２ｂを図４（ａ）および図４（ｂ）に示す。図４（ａ）は、運転停止時の室内機２ｂの正面図であり、図４（ｂ）は、運転停止時の室内機２ｂの側面断面図である。
この室内機２ｂは、ケーシング本体２３の正面の略全体を覆う正面パネル２４ｂを備える。この正面パネル２４ｂは、正面視において継目を有さない一枚の平坦な平板状部材であり、吹出し口２６と第１吸込み口２７とを閉じた状態において鉛直方向に平行な平坦面２４４を形成する。また、正面パネル２４ｂは、正面視において水平方向に長い長方形の形状を有しており、正面視において吹出し口２６と第１吸込み口２７とを含むケーシング本体２３の幅Ｗと略同じ幅を有している。正面パネル２４ｂは、吹出し口２６と第１吸込み口２７とを開閉し、吹出し口２６と第１吸込み口２７とを閉じた状態において、正面視において吹出し口２６と第１吸込み口２７とを覆う。
【００５５】
次に、運転時の室内機２ｂの動作について説明する。運転時の室内機２ｂの正面図を図５（ａ）に、運転時の室内機２ｂの側面断面図を図５（ｂ）に示す。
室内機２ｂが運転を開始すると、正面パネル２４ｂが、移動して吹出し口２６と第１吸込み口２７とを開く。正面パネル２４ｂは、垂直に上方へ移動すると共に、上端がケーシング本体２３から離反する方向へと下端を中心に回転移動する。このように、正面パネル２４ｂが上方へと移動することにより吹出し口２６が開かれ、正面パネル２４ｂが回転移動することにより第１吸込み口２７が開かれる。
【００５６】
他の構成および動作については第１実施形態にかかる室内機２ａと同様である。
〔特徴〕
この空気調和機１の室内機２ｂでは、継目のない一枚の正面パネル２４ｂによって吸込み口２５と吹出し口２６との両方が覆われる。このため、室内機２ｂの正面視には継目が表れない。また、正面パネル２４ｂによって形成される平坦面２４４により、居住者等にシンプルな印象を与える。これにより、この空気調和機１の室内機２ｂでは、室内機２ｂの正面視における運転停止時の外観と室内の壁面とが調和し、美観が向上する。
【００５７】
＜第３実施形態＞
本発明の第３実施形態にかかる空気調和機１の室内機２ｃを図６（ａ）および図６（ｂ）に示す。図６（ａ）は、運転停止時の室内機２ｃの側面断面図であり、図６（ｂ）は、運転時の室内機２ｃの側面断面図である。
この室内機２ｃは、室内機２ｃの正面全体を覆う正面パネル２４ｃを備える。正面パネル２４ｃは、吹出し口２６と第１吸込み口２７とを開閉する。正面パネル２４ｃは、吹出し口２６と第１吸込み口２７とを閉じた状態において、正面視において吹出し口２６と第１吸込み口２７とを覆う。この正面パネル２４ｃは、正面視において継目を有さない板状部材であり、第１平面部２４５と第２平面部２４６とを有する。第１平面部２４５と第２平面部２４６とは共に平坦な平板状の形状を有している。第１平面部２４５は鉛直方向に平行になっており、第１吸込み口２７を閉じる。第２平面部２４６は、吹出し口２６の出口の形状に沿うように傾斜して配置されており、吹出し口２６を閉じる。第２平面部２４６の上端は、第１平面部２４５の下端に所定の角度で繋がっている。第１平面部２４５と第２平面部２４６とは、継目なく一体となっている。また、第１平面部２４５と第２平面部２４６とは、それぞれ水平方向に長い長方形の形状を有しており、ケーシング本体２３の幅Ｗと略同じ幅を有している。
【００５８】
次に、運転時の室内機２ｃの動作について説明する。
室内機２ｃが運転を開始すると、正面パネル２４ｃが、移動して吹出し口２６と第１吸込み口２７とを開く。このとき、正面パネル２４ｃは斜め上前方へと移動する。なお、正面パネル２４ｃは、直接に前方斜め上へ向けて移動してもよく、前方への平行移動と上方への移動とを組み合わせて移動してもよい。正面パネル２４ｃが移動することにより、第１平面部２４５が第１吸込み口２７から離反して、第１吸込み口２７が開かれる。また、第２平面部２４６が吹出し口２６から離反して吹出し口２６が開かれる。
【００５９】
他の構成については第１実施形態にかかる室内機２ａと同様である。
〔特徴〕
この空気調和機１の室内機２ｃでは、運転停止時には、継目のない一枚の正面パネル２４ｃによって吸込み口２５と吹出し口２６との両方が覆われる。このため、室内機２ｃの運転停止時においては、正面視において室内機２ｃに継目が表れない。また、正面パネル２４ｃの第２平面部２４６は、吹出し口２６に沿った形状となっている。このため、ケーシング本体２３の側面形状が長方形ではなく吹出し口２６の出口が傾斜した形状となっている場合においても、継目のない平滑な正面パネル２４ｃで室内機２ｃの正面を覆うことができる。これにより、この空気調和機１の室内機２ｃでは、運転停止時の室内機２ｃの正面視における外観と室内の壁面とが調和し、美観が向上する。
【００６０】
＜第４実施形態＞
［構成］
本発明の第４実施形態にかかる空気調和機１の室内機２ｄを図７（ａ）、図７（ｂ）、図８（ａ）および図８（ｂ）に示す。図７（ａ）は、運転停止時の室内機２ｄの正面図であり、図７（ｂ）は、運転停止時の室内機２ｄの側面断面図である。また、図８（ａ）は、運転時の室内機２ｄの正面図であり、図８（ｂ）は、運転時の室内機２ｄの側面断面図である。
【００６１】
この室内機２ｄは、ケーシング本体２３の正面の略全体を覆う正面パネル２４ｄを備える。正面パネル２４ｄは、継目の無い複数のパネルが集合したパネル集合体であり、第１パネル２４７と第２パネル２４８とを有している。
第１パネル２４７は、ケーシング本体２３の正面の下方に配置されている。第１パネル２４７は、図示しない移動機構によって移動可能に支持されており、吹出し口２６を開閉する。第１パネル２４７は、継目を有さない長方形の平板状の部材であり、正面視におけるケーシング本体２３の幅Ｗと略同じ幅を有する。第１パネル２４７は、吹出し口２６を閉じた状態においては、図７（ｂ）のように、鉛直方向に平行な状態となる。また、この状態では、第１パネル２４７は、正面視において吹出し口２６よりも大きな投影面積を有する。従って、第１パネル２４７は、吹出し口２６を閉じた状態においては、吹出し口２６を含むケーシング本体２３の正面の下方を完全に覆う。
【００６２】
第２パネル２４８は、ケーシング本体２３の正面の上方に配置されている。第２パネル２４８は、図示しない移動機構によって移動可能に支持されており、第１吸込み口２７を開閉する。第２パネル２４８は、第１部２４８ａと第２部２４８ｂとを有している。第１部２４８ａと第２部２４８ｂとは、それぞれ継目を有さない長方形の平板状の部材であり、正面視において第１吸込み口２７を含むケーシング本体２３の幅Ｗと略同じ幅を有する。第１部２４８ａと第２部２４８ｂとは、第１吸込み口２７を閉じた状態においては、図７（ｂ）のように、鉛直方向に平行な状態となる。第２部２４８ｂは、第１部２４８ａの下方に位置しており、第１部２４８ａよりも前方へ突出している。また、この状態では、第２部２４８ｂは、第１パネル２４７の上方に位置している。そして、第２部２４８ｂの下端は、第１パネル２４７の上端の前方に位置しており、第１パネル２４７の上端に重なるように位置している。また、第２パネル２４８は、正面視において第１吸込み口２７よりも大きな投影面積を有する。従って、第２パネル２４８は、第１吸込み口２７を閉じた状態においては、第１吸込み口２７を含むケーシング本体２３の正面の上半分を完全に覆う。
【００６３】
このように、第１パネル２４７は、吹出し口２６を閉じた状態においては、吹出し口２６を含むケーシング本体２３の正面の下方を完全に覆い、第２パネル２４８は、第１吸込み口２７を閉じた状態においては、第１吸込み口２７を含むケーシング本体２３の正面の上方を完全に覆う。また、第１パネル２４７と第２パネル２４８とは、上下に並んで配置されており、第２パネル２４８の下端の一部が第１パネル２４７の上端に重なっている。
【００６４】
他の構成や室内機２ｄの動作については、第１実施形態にかかる室内機２ａと同様である。
［特徴］
この空気調和機１の室内機２ｄでは、正面パネル２４ｄが吹出し口２６と第１吸込み口２７とを閉じた状態では、第２パネル２４８の下端の一部が第１パネル２４７の上端に重なっている。このため、第１パネル２４７と第２パネル２４８との隙間が正面視において見え難くなっている。これにより、この空気調和機１の室内機２ｄでは、正面視における室内機２ｄの運転停止時の外観と室内の壁面とがより調和し、美観がさらに向上する。
【００６５】
＜第５実施形態＞
［構成］
本発明の第５実施形態にかかる空気調和機１の室内機２ｅを図１２（ａ）および図１２（ｂ）に示す。図１２（ａ）は、運転停止時の室内機２ｅの正面図であり、図１２（ｂ）は、運転停止時の室内機２ｅの側面断面図である。
【００６６】
この室内機２ｅは、ケーシング本体２３の正面の略全体を覆う正面パネル２４ｅを備える。正面パネル２４ｅは、継目の無い複数のパネル２５０−２５１が集合したパネル集合体であり、第１パネル２５０と第２パネル２５１と第３パネル２５２とを有している。
第１パネル２５０は、ケーシング本体２３の正面の下方に配置されている。第１パネル２５０は、図示しない移動機構によって上下方向に平行移動可能に支持されており、吹出し口２６を開閉する。第１パネル２５０は、継目を有さない長方形の平板状の部材であり、正面視におけるケーシング本体２３の幅Ｗと略同じ幅を有する。第１パネル２５０は、吹出し口２６を閉じた状態においては、図１２（ｂ）のように、鉛直方向に平行な状態となる。また、この状態では、第１パネル２５０は、正面視において吹出し口２６よりも大きな投影面積を有する。従って、第１パネル２５０は、吹出し口２６を閉じた状態においては、吹出し口２６を含むケーシング本体２３の正面の下方を完全に覆う。
【００６７】
第２パネル２５１は、ケーシング本体２３の正面の上方に配置されている。第２パネル２５１は、図示しない移動機構によって移動可能に支持されており、第１吸込み口２７を開閉する。第２パネル２５１は、継目を有さない長方形の平板状の部材であり、正面視において第１吸込み口２７を含むケーシング本体２３の幅Ｗと略同じ幅を有する。第２パネル２５１は、第１吸込み口２７を閉じた状態においては、図１２（ｂ）のように、鉛直方向に平行な状態となる。また、第２パネル２５１は、正面視において第１吸込み口２７よりも大きな投影面積を有する。従って、第２パネル２５１は、第１吸込み口２７を閉じた状態においては、第１吸込み口２７を含むケーシング本体２３の正面の上半分を完全に覆う。
【００６８】
第３パネル２５２は、第１パネル２５０と第２パネル２５１との間に配置されている。第３パネル２５２は、正面視において継目を有さない長方形の形状を有している。第３パネル２５２は、室内機２ｅと略同じ幅Ｗを有し、上下方向に第１パネル２５０と略同じ長さを有する。第３パネル２５２は、左右端部近傍がケーシング本体２３の左右の側面にそれぞれ固定されており、第３パネル２５２の正面部分がケーシング本体２３に対して前後方向に隙間を隔てるように配置されている。すなわち、第３パネル２５２の後方には、ケーシング本体２３との間に隙間が形成されている。この隙間は、下方に配置された第１パネル２５０の厚さよりも僅かに大きく形成されており、吹出し口２６を開くために移動する第１パネル２５０を収容する空間となっている。
【００６９】
このように、第１パネル２５０は、吹出し口２６を閉じた状態においては、吹出し口２６を含むケーシング本体２３の正面の下方を完全に覆い、第２パネル２５１は、第１吸込み口２７を閉じた状態においては、第１吸込み口２７を含むケーシング本体２３の正面の上方を完全に覆う。また、第１パネル２５０、第２パネル２５１および第３パネル２５２は、上下に並んで配置されており、吹出し口２６および第１吸込み口２７が閉じられた状態では、略平坦な長方形の平面を構成するように配置される。第１パネル２５０、第２パネル２５１および第３パネル２５２によって構成される正面パネル２４ｅは、吹出し口２６および第１吸込み口２７が閉じられた状態では室内機２ｅの前面の略全体を覆い、第１パネル２５０、第２パネル２５１および第３パネル２５２の境目にできる継目のみが正面視において表れる。すなわち、第１パネル２５０と第３パネル２５２との境目および第２パネル２５１と第３パネル２５２との境目によって形成される水平方向に延びる継目のみが正面視において表れる。
【００７０】
他の構成については、第１実施形態にかかる室内機２ａと同様である。
［運転開始時の正面パネルの動作］
室内機２ｅが運転を開始する際には、第１パネル２５０および第２パネル２５１が移動して吹出し口２６および第１吸込み口２７が開かれる。以下、正面パネル２４ｅの動作を図１３（ａ）、図１３（ｂ）および図１３（ｃ）に基づいて説明する。なお、図１３（ａ）、図１３（ｂ）および図１３（ｃ）は、室内機２ｅの側面図である。
【００７１】
室内機２ｅが運転を停止している状態では、第１パネル２５０および第２パネル２５１は、吹出し口２６および第１吸込み口２７を閉じており、図１３（ａ）に示すように、第１パネル２５０、第２パネル２５１および第３パネル２５２は、鉛直方向に平行に側面視において略一直線上に並んで配置されている。また、第１パネル２５０、第２パネル２５１および第３パネル２５２の表面は略平坦になっている。
【００７２】
室内機２ｅが運転を開始すると、第１パネル２５０および第２パネル２５１が移動して、吹出し口２６および第１吸込み口２７が開かれる。
図１３（ｂ）に示すように、第１パネル２５０は、鉛直方向上向きに平行移動して吹出し口２６を開く。第１パネル２５０が鉛直方向上向きに移動すると、第１パネル２５０の上端が第３パネル２５２の後方の隙間に挿入される。第１パネル２５０がさらに上方へと移動すると、図１３（ｃ）に示すように、第１パネル２５０が、第３パネル２５２とケーシング本体２３との間の隙間に収容され、第３パネル２５２の後方に隠れた状態となる。すなわち、第１パネル２５０の略全体が、第３パネル２５２に重なった状態となる。
【００７３】
このような第１パネル２５０の移動にリンクして第２パネル２５１も移動する。図１３（ｂ）に示すように、第２パネル２５１は、前方へと移動すると共に、正面視における左右方向に平行な軸を中心に回動する。第２パネル２５１は、その下端近傍を中心にして、上端が前方へ向けて傾斜するように回動する。第２パネル２５１は、図１３（ｃ）に示すように、さらに移動してケーシング本体２３と第２パネル２５１との間に隙間が形成される。これにより、第１吸込み口２７が開かれる。そして、第２パネル２５１の上端とケーシング本体２３との間の隙間から空気が吸込まれ、第１吸込み口２７からケーシング本体２３内に空気が吸込まれる。
【００７４】
また、室内機２ｅの運転停止時には、第１パネル２５０および第２パネル２５１が上記と逆に移動することによって、平坦な状態へと戻る。
［特徴］
（１）
この空気調和機１の室内機２ｅでは、運転停止時において、前面の略全体が正面パネル２４ｅに覆われる。正面パネル２４ｅを構成する第１パネル２５０、第２パネル２５１および第３パネル２５２は、室内機２ｅの運転停止時においては、略平坦な平面を形成するように配置され、表面に表れる継目も最小限のものとなっている。このため、室内機２ｅの運転停止時において、室内機２ｅと室内の壁面との調和が向上し、美観が向上する。
【００７５】
（２）
この空気調和機１の室内機２ｅでは、運転開始時には第１パネル２５０と第２パネル２５１とが上記のように移動することによって、第１吸込み口２７および吹出し口２６が開かれる。これにより、空気の吸込みや吹出しの風量を十分に確保することができる。また、水平方向の空気の吹出しも十分に行うことができる。
【００７６】
さらに、吹出し口２６が開かれた状態では、第１パネル２５０は、第３パネル２５２の後方へと移動して第３パネル２５２によって隠された状態となる。このため、運転時において第１パネル２５０が吸込みや吹出しの妨げとならず、また、正面視における美観が向上する。
＜第６実施形態＞
［構成］
本発明の第６実施形態にかかる空気調和機１の室内機２ｆを図１４（ａ）から図１４（ｃ）に示す。なお、図１４（ａ）から図１４（ｃ）は、空気調和機１の室内機２ｆの側面図である。
【００７７】
この室内機２ｆは、ケーシング本体２３の正面の略全体を覆う正面パネル２４ｆを備える。正面パネル２４ｆは、継目の無い２枚のパネル２５３，２５４が集合したパネル集合体であり、第１パネル２５３と第２パネル２５４と有している。
第１パネル２５３は、ケーシング本体２３の正面の下方に配置されている。第１パネル２５３は、図示しない移動機構によって上下方向に平行移動可能に支持されており、吹出し口２６を開閉する。第１パネル２５３は、継目を有さない長方形の平板状の部材であり、正面視におけるケーシング本体２３の幅Ｗ（図２（ａ）参照）と略同じ幅を有する。第１パネル２５３は、吹出し口２６を閉じた状態においては、図１４（ａ）のように、鉛直方向に平行な状態となる。また、この状態では、第１パネル２５３は、正面視において吹出し口２６よりも大きな投影面積を有する。従って、第１パネル２５３は、吹出し口２６を閉じた状態においては、吹出し口２６を含むケーシング本体２３の正面の下方を完全に覆う。
【００７８】
第２パネル２５４は、ケーシング本体２３の正面の上方に配置されている。第２パネル２５４は、移動機構２５５によって移動可能に支持されており、第１吸込み口２７を開閉する。なお、移動機構２５５は、第２パネル２５４の両側端部分を支持している。第２パネル２５４は、継目を有さない長方形の平板状の部材であり、正面視において第１吸込み口２７を含むケーシング本体２３の幅Ｗ（図２（ａ）参照）と略同じ幅を有する。第２パネル２５４は、第１吸込み口２７を閉じた状態においては、図１４（ａ）のように、鉛直方向に平行な状態となる。また、第２パネル２５４は、正面視において第１吸込み口２７よりも大きな投影面積を有する。従って、第２パネル２５４は、第１吸込み口２７を閉じた状態においては、第１吸込み口２７を含むケーシング本体２３の正面の上半分を完全に覆う。
【００７９】
このように、第１パネル２５３は、吹出し口２６を閉じた状態においては、吹出し口２６を含むケーシング本体２３の正面の下方を完全に覆い、第２パネル２５４は、第１吸込み口２７を閉じた状態においては、第１吸込み口２７を含むケーシング本体２３の正面の上方を完全に覆う。また、第１パネル２５３および第２パネル２５４は、上下に並んで配置されており、吹出し口２６および第１吸込み口２７が閉じられた状態では、略平坦な長方形の平面を構成するように配置される。第１パネル２５３および第２パネル２５４によって構成される正面パネル２４ｆは、吹出し口２６および第１吸込み口２７が閉じられた状態では室内機２ｆの前面の略全体を覆い、第１パネル２５３および第２パネル２５４の境目にできる継目のみが正面視において表れる。すなわち、正面パネル２４ｆでは、第１実施形態にかかる正面パネル２４ａと同様に、第１パネル２５３と第２パネル２５４との境目によって形成される水平方向に延びる継目のみが正面視において表れる。
【００８０】
他の構成については、第１実施形態にかかる室内機２ａと同様である。
［運転開始時の正面パネルの動作］
室内機２ｆが運転を開始する際には、第１パネル２５３および第２パネル２５４が移動して吹出し口２６および第１吸込み口２７が開かれる。以下、正面パネル２４ｆの動作を説明する。
【００８１】
室内機２ｆが運転を停止している状態では、第１パネル２５３および第２パネル２５４は、吹出し口２６および第１吸込み口２７を閉じており、図１４（ａ）に示すように、第１パネル２５３および第２パネル２５４は、鉛直方向に平行に側面視において略一直線上に並んで配置されている。また、第１パネル２５３および第２パネル２５４の表面は略平坦になっている。
【００８２】
室内機２ｆが運転を開始すると、第１パネル２５３および第２パネル２５４が移動して、吹出し口２６および第１吸込み口２７が開かれる。
図１４（ｂ）に示すように、第２パネル２５４は、第１吸込み口２７から離れるように前方へと移動すると共に、正面視における左右方向に平行な軸を中心に回動する。第２パネル２５４は、その下端近傍を中心にして、上端が前方へ向けて傾斜するように回動する。第２パネル２５４は、図１４（ｃ）に示すように、さらに移動してケーシング本体２３と第２パネル２５４との間に隙間が形成される。これにより、第１吸込み口２７が開かれる。そして、第２パネル２５４の上端とケーシング本体２３との間の隙間から空気が吸込まれ、第１吸込み口２７からケーシング本体２３内に空気が吸込まれる。なお、第２パネル２５４が第１吸込み口２７を開いた状態において、第２パネル２５４の上端が前方へと上端が後方へと傾斜した状態となる。また、この状態において、第２パネル２５４は、吹出し口２６に干渉しないように配置される。すなわち、第２パネル２５４の下端は、吹出し口２６よりも上方に位置しており、吹出し口２６からの吹出しの障害とならないようにされている。
【００８３】
このような第２パネル２５４の移動にリンクして第１パネル２５３も移動する。図１４（ｂ）に示すように、第１パネル２５３は、鉛直方向上向きに平行移動して吹出し口２６を開く。第１パネル２５３が鉛直方向上向きに移動すると、第１パネル２５３の上端が、前方へと移動した第２パネル２５４とケーシング本体２３の前面との間へと挿入される。すなわち、第１パネル２５３の上端は、第２パネル２５４の後方の隙間に挿入される。第１パネル２５３がさらに上方へと移動すると、図１４（ｃ）に示すように、第１パネル２５３が、第２パネル２５４とケーシング本体２３との間の隙間に収容される。すなわち、第１パネル２５３の全体または一部が、第２パネル２５４に重なった状態となる。なお、第１パネル２５３は、ケーシング本体２３の前面に近接した状態で移動する。第１パネル２５３とケーシング本体２３とは、擦れによる傷の発生を防止する観点からは第１パネル２５３の移動中に接触しないことが望ましく、第１パネル２５３とケーシング本体２３との間に約１ｍｍないし２ｍｍの隙間を隔てていることがより望ましい。
【００８４】
また、室内機２ｆの運転停止時には、第１パネル２５３および第２パネル２５４が上記と逆に移動することによって、平坦な状態へと戻る。
［特徴］
この空気調和機１の室内機２ｆにおいても、上記の実施形態にかかる室内機２ａ−２ｅと同様に美観を向上させる効果を奏することができる。
【００８５】
また、第２パネル２５４が傾斜するように移動することによって、第１吸込み口２７を通して室内機２ｆの中身が外部から見え難くなっている。このため、美観をより向上させることができる。
さらに、吹出し口２６を開く際に第１パネル２５３がケーシング本体２３に近接しているため、吹出し口２６から吹出された空気が第１パネル２５３とケーシング本体２３との間の隙間から漏れて第１吸込み口２７から再び吸込まれるショートサーキットが生じることを抑えることができる。また、第１パネル２５３の移動時さらに停止時においても第１パネル２５３がケーシング本体２３に近接していることによって、第１パネル２５３とケーシング本体２３との間の隙間および第１吸込み口２７を通して室内機２ｆの中身が外部から見え難くなっている。このため、美観をより向上させることができる。
【００８６】
＜他の実施形態＞
（１）
上記の第１実施形態にかかる室内機２ａでは、第２パネル２４２が前方へと平行移動し、第１パネル２４１が垂直に上方へと移動する。そして、第１パネル２４１の上側の一部が第２パネル２４２とケーシング本体２３との間に挿入される。これにより、吹出し口２６と第1吸込み口２７とが開かれる。しかし、運転時における第１パネル２４１と第２パネル２４２との移動はこれに限定されるものではない。例えば、以下の（Ａ）、（Ｂ）、（Ｃ）に示すように第１パネル２４１と第２パネル２４２とが移動することによって、吹出し口２６と第1吸込み口２７とが開かれてもよい。
【００８７】
（Ａ）
図９（ａ）に示すように、第１パネル２４１が垂直に上方へと移動すると共に、第１パネル２４１の上端がケーシング本体２３から離反する方向へと下端を中心に回転移動する。第１パネル２４１が垂直に上方へと移動することにより、吹出し口２６が開かれる。また、第１パネル２４１の移動に伴って、第２パネル２４２も垂直に上方へと移動すると共に、第２パネル２４２の上端がケーシング本体２３から離反する方向へと下端を中心に回転移動する。第２パネル２４２が回転移動することにより、第１吸込み口２７が開かれる。最終的には、第１パネル２４１の上側の一部と第２パネル２４２の下側の一部とが、重なり合った状態となり、吹出し口２６と第１吸込み口２７とが開かれる。
【００８８】
（Ｂ）
図９（ｂ）に示すように、第１パネル２４１の上端と第２パネル２４２の下端とは、接続部分２４７を中心に回転可能に接続されている。そして、第１パネル２４１は、垂直に上方へと移動すると共に、上端がケーシング本体２３から離反する方向へと下端を中心に回転する。第１パネル２４１が垂直に上方へと移動することにより、吹出し口２６が開かれる。第２パネル２４２は、第１パネル２４１の上端の回転移動に関わらず鉛直方向に平行な姿勢を保持しながら前方へと平行移動する。第２パネル２４２が前方へと平行移動することにより、第１吸込み口２７が開かれる。最終的には、上端がケーシング本体２３へ近接するように中程から折れ曲がった状態の正面パネル２４ａが上方へと移動した状態となり、吹出し口２６と第１吸込み口２７とが開かれる。
【００８９】
（Ｃ）
図９（ｃ）に示すように、第１パネル２４１の上端と第２パネル２４２の下端とは、接続部分２４８を中心に回転可能に接続されている。そして、第１パネル２４１が垂直に上方へと移動すると共に、第１パネル２４１の上端がケーシング本体２３から離反する方向へと下端を中心に回転する。第１パネル２４１が垂直に上方へと移動することにより、吹出し口２６が開かれる。第１パネル２４１の上端の回転移動に伴って、第２パネル２４２の上端がケーシング本体２３から離反する方向へ下端を中心に回転移動する。第２パネル２４２の上端が回転移動することにより、第１吸込み口２７が開かれる。最終的には、上端がケーシング本体２３から離反するように中程から折れ曲がった状態の正面パネル２４ａが上方へと移動した状態となり、吹出し口２６と第１吸込み口２７とが開かれる。
【００９０】
（２）
上記の第２実施形態にかかる室内機２ｂでは、正面パネル２４ｂは、上方へ垂直に移動すると共に、上端がケーシング本体２３から離反する方向へと下端を中心に回転移動するが、正面パネル２４ｂの移動はこれに限定されるものではない。例えば、図１０に示すように、正面パネル２４ｂは、鉛直方向に平行な状態のまま斜め前上方へと移動して、吹出し口２６と第１吸込み口２７とが開かれてもよい。
【００９１】
（３）
上記の第１実施形態にかかる室内機２ａでは、正面パネル２４ａは、第１パネル２４１と第２パネル２４２とによって構成されているが、さらに複数のパネルによって構成されてもよい。ただし、正面パネル２４ａを構成する複数のパネルの数が少ないほど正面パネル２４ａに表れる継目が少なくなるため、正面パネル２４ａを構成する複数のパネルの数は少ない方が望ましい。また、正面パネル２４ａを構成する複数のパネルは縦方向に並んで配置される方が望ましい。これにより、正面視において縦方向に延びる継目が表れず、美観が向上する。
【産業上の利用可能性】
【００９２】
本発明は、室内の美観を損なう恐れをより低減することができる効果を有し、空気調和機の室内機として有用である。
【図面の簡単な説明】
【００９３】
【図１】第１実施形態にかかる空気調和機の構成および冷媒回路の構成を表す図。
【図２】（ａ）第１実施形態にかかる室内機の運転停止時の正面図。（ｂ）第１実施形態にかかる室内機の運転停止時の側面断面図。
【図３】（ａ）第１実施形態にかかる室内機の運転時の正面図。（ｂ）第１実施形態にかかる室内機の運転時の側面断面図。
【図４】（ａ）第２実施形態にかかる室内機の運転停止時の正面図。（ｂ）第２実施形態にかかる室内機の運転停止時の側面断面図。
【図５】ａ）第２実施形態にかかる室内機の運転時の正面図。（ｂ）第２実施形態にかかる室内機の運転時の側面断面図。
【図６】（ａ）第３実施形態にかかる室内機の運転停止時の側面断面図。（ｂ）第３実施形態にかかる室内機の運転時の側面断面図。
【図７】（ａ）第４実施形態にかかる室内機の運転停止時の正面図。（ｂ）第４実施形態にかかる室内機の運転停止時の側面断面図。
【図８】（ａ）第４実施形態にかかる室内機の運転時の正面図。（ｂ）第４実施形態にかかる室内機の運転時の側面断面図。
【図９】（ａ）他の実施形態にかかる室内機の運転時の側面断面図。（ｂ）他の実施形態にかかる室内機の運転時の側面断面図。（ｃ）他の実施形態にかかる室内機の運転時の側面断面図。
【図１０】他の実施形態にかかる室内機の運転時の側面断面図。
【図１１】従来の空気調和機の室内機の正面図。
【図１２】第５実施形態にかかる室内機の運転停止時の正面図。（ｂ）第５実施形態にかかる室内機の運転停止時の側面断面図。
【図１３】第５実施形態にかかる室内機の運転開始時の正面パネルの動作を示す図。
【図１４】第６実施形態にかかる室内機の運転開始時の正面パネルの動作を示す図。
【符号の説明】
【００９４】
１                              空気調和機
２ａ−２ｆ                      室内機
２３                            ケーシング本体（ケーシング）
２４ａ−２４ｆ                  正面パネル
２６                            吹出し口
２７                            第１吸込み口（吸込み口）
２４１，２４７，２５０，２５３  第１パネル
２４２，２４８，２５１，２５４  第２パネル
２５２                          第３パネル
２４３，２４４                  平坦面
Ｗ                              ケーシング本体の幅（ケーシングの幅）
【図１】
2005098683.tif 000003
【図２】
2005098683.tif 000004
【図３】
2005098683.tif 000005
【図４】
2005098683.tif 000006
【図５】
2005098683.tif 000007
【図６】
2005098683.tif 000008
【図７】
2005098683.tif 000009
【図８】
2005098683.tif 000010
【図９】
2005098683.tif 000011
【図１０】
2005098683.tif 000012
【図１１】
2005098683.tif 000013
【図１２】
2005098683.tif 000014
【図１３】
2005098683.tif 000015
【図１４】
2005098683.tif 000016